(57)【要約】  移動装置が複数のネットワークからのページング通知を受信できるようにする方法及び装置。本発明の一実施形態では、第１ネットワークに接続された第１装置が第１ネットワークを瞬間的に無視し、それに代わって第２ネットワークを監視する。第１装置は、第１ネットワークのアプリケーションのリストを識別しそしてプライオリティ決めし、そのプライオリティ決めされたリストは、第１装置が、その低プライオリティタスクの１つの先を越して、それに代わってページングメッセージについて第２ネットワークを監視できるようにする。ここに述べる方法及び装置は、例えば、ＧＰＲＳ  ＮＭＯ−２タイプのネットワークに接続されたクラスＢのセルラー装置についてＧＳＭページングを行うことができる。クラスＢのセルラー装置は、欠落となるＧＳＭページングチャンネルをデコードするために、あるＧＰＲＳデータ（エラー許容）を無視することができる。【選択図】図３
2013509100.tif 000002
【特許請求の範囲】
【請求項１】
移動装置の１つ以上のアプリケーションに対してページング受信を優先的にサポートする方法であって、移動装置は、一次インターフェイスに結合され、そして一次インターフェイスは、少なくとも１つのエラー許容アプリケーションをサポートする方法において、
前記一次インターフェイスを保留することなくページングメッセージについて二次インターフェイスをチェックする段階と、
それにより生じるエラーを少なくとも１つのエラー許容アプリケーションにおいて無視する段階と、
を備えた方法。
【請求項２】
少なくとも１つのページングメッセージが見つかった場合には、前記一次インターフェイスを保留する段階を更に備えた、請求項１に記載の方法。
【請求項３】
ページングメッセージが見つからない場合には、前記一次インターフェイスを継続する段階を更に備えた、請求項２に記載の方法。
【請求項４】
前記少なくとも１つのエラー許容アプリケーションは、プライオリティ、及びサービスクオリティ（ＱｏＳ）パラメータを更に含む、請求項１に記載の方法。
【請求項５】
前記プライオリティは、前記ＱｏＳパラメータに少なくとも一部分基づく、請求項４に記載の方法。
【請求項６】
前記一次及び二次インターフェイスは、実質的に時間整列される、請求項１に記載の方法。
【請求項７】
前記二次インターフェイスをチェックする動作についてスケジュールを決定する段階を更に備え、そのスケジュールは、共有時間事象に少なくとも一部分基づく、請求項６に記載の方法。
【請求項８】
前記共有時間事象は、（ｉ）フレーム境界、及び／又は（ii）スロット境界、の少なくとも１つを含む、請求項７に記載の方法。
【請求項９】
デジタルプロセッサと、
前記プロセッサとデータ通信する一次ワイヤレスインターフェイスと、
前記プロセッサとデータ通信する二次ワイヤレスインターフェイスと、
前記プロセッサとデータ通信する記憶装置と、
を備え、前記記憶装置は、コンピュータ実行可能なインストラクションを含み、このインストラクションは、前記デジタルプロセッサにより実行されたときに、
前記一次ワイヤレスインターフェイスに結合された１つ以上のアプリケーションに少なくとも一部分基づいてアプリケーションのリストを生成し、
前記アプリケーションのリストに対する前記二次ワイヤレスインターフェイスへのアクセスを追加し、
前記アプリケーションのリストの各アプリケーションに対して、それに対応するプライオリティを指定し、
１つ以上の評価事象をスケジュールし、そして
評価事象の間に、その指定されたプライオリティに基づいて前記アプリケーションのリストから１つのアプリケーションを選択して実行する、
ものである移動装置。
【請求項１０】
前記二次ワイヤレスインターフェイスへのアクセスは、ページングアクセスを含む、請求項９に記載の装置。
【請求項１１】
前記一次ワイヤレスインターフェイスに結合された少なくとも１つのアプリケーションは、エラー許容である、請求項９に記載の装置。
【請求項１２】
前記少なくとも１つのエラー許容アプリケーションは、クオリティサービス（ＱｏＳ）パラメータを有する、請求項１１に記載の装置。
【請求項１３】
前記少なくとも１つのエラー許容アプリケーションのプライオリティは、前記ＱｏＳパラメータに少なくとも一部分基づく、請求項１２に記載の装置。
【請求項１４】
前記一次ワイヤレスインターフェイスは、パケット交換データに対して構成され、そして前記二次ワイヤレスインターフェイスは、回路交換データに対して構成される、請求項９に記載の装置。
【請求項１５】
前記一次ワイヤレスインターフェイスは、汎用パケット無線サービス（ＧＰＲＳ）準拠の受信器であり、そして前記二次ワイヤレスインターフェイスは、移動通信用のグローバルシステム（ＧＳＭ）準拠の受信器である、請求項１４に記載の装置。
【請求項１６】
複数のインストラクションが配置された記憶媒体を備え、それらのインストラクションは、ホスト装置のプロセッサにより実行されたときに、
通信媒体へホスト装置の一次インターフェイスを結合させ、その一次インターフェイスは、少なくとも１つのエラー許容アプリケーションをサポートするものであり、
前記一次インターフェイスを保留することなくページングメッセージについて二次インターフェイスをチェックし、そして
それにより生じるエラーを前記少なくとも１つのエラー許容アプリケーションにおいて無視する、
ことにより、１つ以上のアプリケーションに対して優先的なページング受信を実施するように構成されたものである、コンピュータ読み取り可能な装置。
【請求項１７】
前記ホスト装置は、ワイヤレス移動装置を含み、そして前記一次インターフェイスは、ワイヤレスインターフェイスを含む、請求項１６に記載のコンピュータ読み取り可能な装置。
【請求項１８】
前記第１インターフェイス及び二次インターフェイスの一方は、回路交換ネットワークと通信し、そして前記第１インターフェイス及び二次インターフェイスの他方は、パケット交換ネットワークと通信する、請求項１７に記載のコンピュータ読み取り可能な装置。
【請求項１９】
パケット交換及び回路交換の両ネットワークとのバーチャル同時接続を与えるようにクラスＢの移動ワイヤレス装置を動作する方法において、
パケット交換ネットワークの動作の中で少なくとも１つの機会を識別する段階と、
その少なくとも１つの機会の間のみに回路交換ネットワークに関連したページングチャンネルをデコードする段階と、
を備えた方法。
【請求項２０】
前記ページングチャンネルを経て送られる１つ以上のページングメッセージを得るためにパケット交換ネットワークに関連したアプリケーションの動作を保留又は中断しないことを更に含む、請求項１９に記載の方法。
【請求項２１】
一次ネットワークに接続されている間に二次ネットワークを経てメッセージを受信する方法において、一次及び二次ネットワークは、通常排他的であり、
１つ以上の評価事象をスケジュールする段階と、
前記一次ネットワークと通信する１つ以上のアプリケーションをプライオリティ決めする段階と、
評価事象ごとに、前記二次ネットワークをメッセージについてチェックしなければならないかどうか決定する段階と、
メッセージについてチェックされるべき評価事象について、
１つ以上のアプリケーションに関連した一次インターフェイスを経て受信された１つ以上のアプリケーションデータエレメントを無視し、そして
二次インターフェイス上でメッセージを検出する、
という段階と、
を備えた方法。
【請求項２２】
前記一次ネットワークは、パケット交換型であり、そして前記二次ネットワークは、回路交換型である、請求項２１に記載の方法。
【請求項２３】
前記一次ネットワークは、汎用パケット無線サービス（ＧＰＲＳ）ネットワークであり、そして前記二次ネットワークは、移動通信用のグローバルシステム（ＧＳＭ）ネットワークである、請求項２２に記載の方法。
【請求項２４】
前記二次インターフェイスに結合することを更に含む、請求項２３に記載の方法。
【請求項２５】
二次インターフェイスに結合する前記動作は、ＧＰＲＳ一時的ブロックフロー（ＴＢＦ）周期中に生じる、請求項２３に記載の方法。
【請求項２６】
二次インターフェイスに結合する前記動作は、ＧＰＲＳアイドルフレーム周期中に生じる、請求項２５に記載の方法。
【請求項２７】
二次インターフェイスに結合する前記動作は、成功裡なＧＰＲＳベースステーションアイデンティティコード（ＢＳＩＣ）のデコード周期中に生じる請求項２６に記載の方法。
【請求項２８】
二次インターフェイスに結合する前記動作は、ＧＳＭアイドルスロットがＧＰＲＳパケットデータトラフィックチャンネル（ＰＤＴＣＨ）に重畳するときに生じる、請求項２３に記載の方法。
【請求項２９】
前記メッセージは、ページングメッセージである、請求項２１に記載の方法。
【請求項３０】
ページングメッセージについて二次ネットワークをチェックしなければならないかどうか決定する前記動作は、二次ネットワークのページングにプライオリティを指定することを含む、請求項２９に記載の方法。
【請求項３１】
１つ以上のアプリケーションデータエレメントを無視する前記動作は、前記一次インターフェイスにおいて保留されない、請求項２１に記載の方法。
【請求項３２】
前記一次及び二次ネットワークは、実質的に同様の時間ベースを有する、請求項２１に記載の方法。
【請求項３３】
前記１つ以上のアプリケーションデータエレメントは、関連サービスクオリティ（ＱｏＳ）パラメータを有する、請求項２１に記載の方法。
【発明の詳細な説明】
【技術分野】
【０００１】
本発明は、一般的に、ワイヤレス通信及びデータネットワークの分野に係る。より特定すれば、１つの例示的態様において、本発明は、パケット交換（packet switched）及び回路交換（circuit switched）ネットワークにおけるページングチャンネル受信のための方法及び装置に関する。
【０００２】
（優先権）
本願は、２００９年１２月２１日に出願された同じ名称の米国特許出願第１２／６４３，９２１号の優先権を主張するもので、これは、２００９年１０月２３日に出願された同じ名称の米国プロビジョナル特許出願第６１／２５４，５９１号の優先権を主張し、各出願は、参考としてここにそのまま援用される。
【０００３】
（著作権）
本特許文書の開示の一部分は、著作権保護を受ける資料を含む。著作権所有者は、特許商標庁の特許ファイル又は記録に現れるように特許文書又は特許開示を誰かが複写再現することに異議を唱えるものではなく、著作権の全ての権利は何であれ保存されるものとする。
【背景技術】
【０００４】
ワイヤレス通信は、回路交換（ＣＳ）アーキテクチャー又はパケット交換（ＰＣ）アーキテクチャーのいずれかで実現することができる。回路交換ネットワークは、ユーザデータ交換のために連続的接続を使用する。例えば、回路交換セルラーネットワークは、「固定」接続を使用してセルラーネットワークを通して１つの移動装置を別の移動装置へ接続する。ＣＳルートの接続は、接続期間中不変のままである。対照的に、パケット交換ネットワークは、ＣＳ接続のように「固定」接続をもたない。むしろ、ＰＳ接続は、要素のネットワーク上を柔軟にルーティングされ、その基礎的なトランスポートルートは、事前に規定されず、ネットワーク要素間で動的にホップする。
【０００５】
ＰＳネットワークは、データを、転送のための小さな「パケット」へとセグメント化する。各パケットは、ソース及び行先の両ターミナルのルート可能なネットワークアドレス（例えば、インターネットプロトコル（ＩＰ）アドレス）を含む。低いレベルでは、ＰＳベースのコールが流動するが、高いレベルのソフトウェアは、冗長性又はエラー修正等を使用し且つＱｏＳ要件（例えば、待ち時間）も課して接続の完全性（即ち、全てのパケットが受信されること）を保証するために種々のパラメータをネゴシエーションする。ＰＳ接続は、データ待ち時間、スループット、帯域巾、頑健さ、等の変化するアプリケーション要件をサポートするように構成される。
【０００６】
回路交換とパケット交換の配信モデル間の動作の相違は、時々、矛盾する。しかしながら、種々の理由で、回路交換ネットワークとパケット交換ネットワークとの間の相互動作が望まれる。例えば、セルラーネットワーク内では、初期のインカネーションが主として回路交換される。しかしながら、新規なデータ技術に伴い、セルラーネットワークは、パケット交換ネットワークトポロジーへと移動している。更に、回路交換セルラーネットワークは、例えば、ゲートウェイ及び他の同様のコンポーネントを経てパケット交換ネットワークへと橋絡する。
【０００７】
（ＧＳＭ（登録商標）、ＧＰＲＳ、ＥＤＧＥネットワークの相互動作）
ＧＳＭ（移動通信用のグローバルシステム）は、「第二世代」又は「２Ｇ」のセルラー電話技術の１つの例示的な具現化である。ＧＳＭ技術は、回路交換式である。ＧＰＲＳ（汎用パケット無線サービス）は、パケット化データサービスをサポートするためにＧＳＭのユーザに利用できるパケット指向の移動データサービスである。ＧＰＲSは、２．５Ｇのセルラー技術と考えられ、ＧＳＭと同じ無線アクセスネットワーク（ＲＡＮ）を使用する。ＥＤＧＥ（ＧＳＭ進化のためのエンハンストデータレート）、又はエンハンストＧＰＲＳ（ＥＧＰＲＳ）は、既存のＧＳＭネットワークに対して更なる改善を与える。ＥＤＧＥは、「第三世代」又は「３Ｇ」セルラー技術と考えられ、完全なパケット交換ネットワークである。
【０００８】
ＧＳＭ、ＧＰＲＳ及びＥＤＧＥの混合ネットワークは、回路交換ネットワークとパケット交換ネットワークとの間のギャップを橋絡する。完全なＣＳベースのネットワーク又は完全なＰＳベースのネットワークとは異なり、この混合ネットワーク（即ち、ＣＳ及びＰＳベースのルーティングをサポートする）は、特殊な事柄や制約を受ける。例えば、二重転送モード（ＤＴＭ）プロトコルは、同じＧＳＭ無線チャンネルにおけるＣＳボイス及びＰＳデータの共存を可能にする。ＤＴＭケーパブルの移動電話は、ＧＳＭ／ＥＤＧＥネットワークにおける同時のボイス接続（ＣＳによる）及びパケットデータ接続（ＰＳによる）をサポートすることができる。ＤＴＭ能力の具現化は、簡単ではなく、ＧＳＭ／ＧＰＲＳ／ＥＤＧＥ装置は、更に、種々の程度のレガシーサポートを与える種々のクラスに細分化される。移動装置は、クラスＡ、クラスＢ及びクラスＣ装置に分割される。ネットワーク装置は、３つのネットワーク動作モード（ＮＭＯ）：ＮＭＯ−１、ＮＭＯ−２及びＮＭＯ−３で動作する。
【０００９】
クラスＡの移動装置は、ＧＳＭ及びＧＰＲＳ／ＥＤＧＥの両ネットワークに同時に接続することができ、即ちクラスＡの装置は、ＣＳ及びＰＳ接続の同時動作をサポートする。対照的に、クラスＢの移動装置は、ＧＳＭ又はＧＰＲＳ／ＥＤＧＥネットワークのいずれかからコールを自動的に接続するが、同時ではない。クラスＢの装置がＰＳ接続をオープンすると、到来するＣＳドメインコールが無視される（その逆のことも言える）。最後に、クラスＣの移動装置は、ＧＳＭネットワーク又はＧＰＲＳ／ＥＤＧＥネットワークのみで動作するように手動で構成されねばならない。クラスＣの移動装置は、１つのネットワークに接続されるだけである。
【００１０】
ネットワーク装置は、ページング能力及びサポートによりＮＭＯへと分類される。以下に詳細に述べるように、ページングは、混合ネットワークにとって特殊な重要性をもっている。簡単に述べると、ＮＭＯ−１ネットワーク構造は、ＧＳＭ（ＣＳ）及びＧＰＲＳ／ＥＤＧＥ（ＰＳ）ドメインの両方において装置を一緒にページングする。換言すれば、ネットワークエンティティ（例えば、移動交換センター（ＭＳＣ）、ＧＰＲＳサポートノード（ＧＳＮ）、等）は、ＧＳＭ及びＧＰＲＳの両ページングチャンネルにおける装置の一貫したページングを保証するために内部ダイヤログを維持する。
【００１１】
それとは対照的に、ＮＭＯ−２は、ＧＳＭドメインにおいてのみページングメッセージを送信し、ＧＰＲＳサービスは、既存のＧＳＭページングチャンネルを経てページングされる。ＧＳＭネットワークエンティティは、ＧＰＲＳネットワークエンティティからＧＰＲＳページを受信し、ページは、受信されると、ＧＳＭコントロールチャンネルを経て転送される。
【００１２】
最後に、ＮＭＯ−３の構成は、ＧＳＭネットワークとＧＰＲＳネットワークとの間のページングオペレーションを完全にデカップルする。不都合なことに、ＮＭＯ−３ネットワークでは、移動装置は、ＧＳＭ及びＧＰＲＳの両ページングチャンネルを同時に監視しなければならない。というのは、そのいずれでもページを受信できるからである。
【００１３】
ＧＳＭ／ＧＰＲＳ／ＥＤＧＥの状況において、加入者は、非ＤＴＭ  ＮＭＯ−２ネットワークで動作しているクラスＢの移動装置がＣＳボイスコールを逸することがあると報告している。更に、持続性を有するパケットデータ交換サービス（例えば、「プッシュ」データ通知、等のスタティックなＩＰアプリケーション）では、問題が著しく悪化される。不都合にも、ＮＭＯ−２ネットワークエンティティは、既存のＧＳＭチャンネルを使用してページングメッセージを与えるだけであるが、クラスＢの移動装置がＧＰＲＳ／ＥＤＧＥサービスで占有されると、ＧＳＭメッセージが無視される。明らかに、ＣＳ及びＰＳドメインオペレーションを結合するための従来のＧＳＭ／ＧＰＲＳ／ＥＤＧＥ解決策は、動作の「盲点」で悩まされている。
【発明の概要】
【発明が解決しようとする課題】
【００１４】
従って、例えば、ＧＳＭ／ＧＰＲＳ／ＥＤＧＥネットワーク内でのページング動作のための改良された解決策が要求されている。そのような改良された解決策は、ユーザの経験に悪影響を及ぼすことなく、ＧＳＭから、ＧＰＲＳ及びＥＤＧＥネットワークを通しての全ネットワーク移行を完全にサポートしなければならない。しかしながら、より一般的には、共存するネットワーク内でページングするための改良された方法及び装置が要望される。そのような改良された解決策は、理想的には、通常の排他的条件のもとで第１ネットワークから第２ネットワークへ移行することができねばならない。
【課題を解決するための手段】
【００１５】
本発明は、ワイヤレスネットワークにおいてページングするための改良された装置及び方法を提供することにより前記要望を満足する。
【００１６】
本発明の１つの態様において、ワイヤレスネットワーク内で改良されたページングを行うための方法が開示される。一実施形態では、移動装置（mobile device）におけるサービスがプライオリティ決めされ、そして移動装置又は移動装置と通信する第２ネットワーク内のアクティビティ又はプロセスを潜在的に妨げることなく、１つのネットワークを経て発生されたページングメッセージを受信できるようにプライオリティ構造が適用される。
【００１７】
本発明の第２の態様において、ページング機能を実施するための装置が開示される。一実施形態では、この装置は、ＧＳＭネットワークにインターフェイスされる移動セルラー通信装置を備えている。
【００１８】
別の実施形態では、この装置は、デジタルプロセッサと、このプロセッサとデータ通信する一次ワイヤレスインターフェイスと、このプロセッサとデータ通信する二次ワイヤレスインターフェイスと、このプロセッサとデータ通信する記憶装置とを備え、この記憶装置は、コンピュータ実行可能なインストラクションを含む。このインストラクションは、デジタルプロセッサにより実行されたときに、一次ワイヤレスインターフェイスに結合された１つ以上のアプリケーションに少なくとも一部分基づいてアプリケーションのリストを生成し、アプリケーションのリストに対する二次ワイヤレスインターフェイスへのアクセスを追加する。アプリケーションのリストの各アプリケーションに対して、インストラクションは、それに対応するプライオリティを指定し、１つ以上の評価事象をスケジュールし、そして評価事象の間に、その指定されたプライオリティに基づいてアプリケーションのリストから１つのアプリケーションを選択して実行する。
【００１９】
本発明の第３の態様において、コンピュータ読み取り可能な装置が開示される。一実施形態では、この装置は、ホスト装置のプロセッサで実行されたときに、通常排他的な条件（例えば、回路交換及びパケット交換の同時動作）のもとで第１ネットワーク又は第２ネットワークのいずれかにおいて移動装置のページングを遂行するコンピュータプログラムが配置された記憶媒体を備えている。
【００２０】
第２の実施形態では、そのプログラムは、ホスト装置のプロセッサにより実行されたときに、通信媒体へホスト装置の一次インターフェイスを結合させ、一次インターフェイスは、少なくとも１つのエラー許容アプリケーションをサポートするものであり、一次インターフェイスを保留することなくページングメッセージについて二次インターフェイスをチェックし、そしてそれにより生じるエラーを少なくとも１つのエラー許容アプリケーションにおいて無視することにより、１つ以上のアプリケーションにわたって優先的ページング受信を遂行するように構成された複数のインストラクションを含む。
【００２１】
１つの変形例では、ホスト装置は、ワイヤレス移動装置であり、第１インターフェイスは、ワイヤレスインターフェイスであり、第１インターフェイス及び第２インターフェイスの一方は、回路交換ネットワークと通信し、そして第１インターフェイス及び第２インターフェイスの他方は、パケット交換ネットワークと通信する。
【００２２】
本発明の第４の態様において、改良されたワイヤレス通信システムが開示される。
【００２３】
本発明の第５の態様において、上述した改良されたページング方法及び装置をベースとしてビジネスを行う方法が開示される。
【００２４】
本発明の第６の態様において、メッセージを受信する方法が開示される。一実施形態では、メッセージは、一次ネットワークに接続される間に二次ネットワークを経て受信され、一次及び二次ネットワークは、通常排他的であり、そしてこの方法は、１つ以上の評価事象をスケジュールし、一次ネットワークと通信する１つ以上のアプリケーションをプライオリティ決めし、評価事象ごとに、二次ネットワークがメッセージについてチェックされねばならないかどうか決定することを含む。メッセージについてチェックされるべき評価事象について、この方法は、更に、１つ以上のアプリケーションに関連した一次インターフェイスを経て受信された１つ以上のアプリケーションデータエレメントを無視し、そして二次インターフェイス上でメッセージを検出することも含む。
【００２５】
１つの変形例において、一次ネットワークは、パケット交換型であり、そして二次ネットワークは、回路交換型である。例えば、一次ネットワークは、汎用パケット無線サービス（ＧＰＲＳ）ネットワークであり、そして二次ネットワークは、移動通信用のグローバルシステム（ＧＳＭ）ネットワークである。二次インターフェイスへの結合は、例えば、ＧＰＲＳ一時的ブロックフロー（ＴＢＦ）期間中、又はＧＰＲＳアイドルフレーム期間中（例えば、成功裡なＧＰＲＳベースステーションアイデンティティコード（ＢＳＩＣ）デコード期間の後の）に行われる。
【００２６】
本発明の第７の態様において、移動装置における１つ以上のアプリケーションにわたりページング受信を優先的にサポートするための方法が開示される。一実施形態では、移動装置は、一次インターフェイスに結合され、一次インターフェイスは、少なくとも１つのエラー許容アプリケーションをサポートし、そしてこの方法は、一次インターフェイスを保留することなくページングメッセージについて二次インターフェイスをチェックし、そしてそれにより生じたエラーを少なくとも１つのエラー許容アプリケーションにおいて無視することを含む。
【００２７】
１つの変形例では、少なくとも１つのページングメッセージが見つかった場合に、一次インターフェイスが保留にされる。別の変形例では、ページングメッセージが見つからなかった場合に、一次インターフェイスが継続される。
【００２８】
別の変形例では、少なくとも１つのエラー許容アプリケーションは、プライオリティ及びサービスクオリティ（ＱｏＳ）パラメータを含み、プライオリティは、ＱｏＳパラメータに少なくとも一部分基づく。
【００２９】
更に別の変形例では、一次及び二次インターフェイスは、実質的に時間整列され、そしてこの方法は、更に、二次インターフェイスをチェックする行動に対するスケジュールを決定することを含み、そのスケジュールは、共有時間事象に少なくとも一部分基づいている。共有時間事象は、例えば、フレーム又はスロット境界を含む。
【００３０】
本発明の第８の態様において、パケット交換及び回路交換の両ネットワークとのバーチャル同時接続を与えるようにクラスＢ移動ワイヤレス装置を動作する方法が開示される。一実施形態では、この方法は、パケット交換ネットワークの動作中における少なくとも１つの機会を識別し、そしてその少なくとも１つの機会の間にのみ回路交換ネットワークに関連したページングチャンネルをデコードすることを含む。
【００３１】
１つの変形例において、この方法は、更に、ページングチャンネルを経て送られる１つ以上のページングメッセージを得るためにパケット交換ネットワークに関連したアプリケーションの動作を保留又は中断しないことを含む。
【００３２】
本発明の他の特徴及び効果は、添付図面及び例示的実施形態の以下の詳細な説明を参照することにより当業者に直ちに認識されよう。
【図面の簡単な説明】
【００３３】
【図１】本発明の一実施形態に有用な移動交換センター（ＭＳＣ）、サービングＧＰＲＳサポートノード（ＳＧＳＮ）、並びに多数のベースステーション及び移動装置を備えたＧＳＭ／ＧＰＲＳネットワークのグラフィック表示である。
【図２】本発明の一実施形態に有用なＧＰＲＳパケットデータトラフィックチャンネル（ＰＤＴＣＨ）と時間整列したページングチャンネル（ＰＣＨ）を含むＧＳＭチャンネル構造の短縮部分のグラフィック表示である。
【図３】本発明の一実施形態により、ＧＰＲＳデータチャンネルに接続される間にクラスＢ移動装置によるＧＳＭページングチャンネル通知受信を可能にするための改良された方法の１つの特定の具現化を示す論理フローチャートである。
【図４】本発明の一実施形態により、アプリケーションの相対的な重要性をランク付けする１つの例示的なプライオリティテーブルである。
【図５】本発明により、ページング通知について多数のネットワークを監視するための一般化されたプロセスの一実施形態の論理フローチャートである。
【図６】本発明により構成されたクライアント装置（例えば、移動セルラー装置）の一実施形態のブロック図である。
【発明を実施するための形態】
【００３４】
全体にわたり同様の部分が同じ番号で示された添付図面を参照する。
【００３５】
（概略）
１つの態様において、本発明は、通常排他的な条件のもとで第１ネットワーク又は第２ネットワークのいずれかで第１の装置をページングするための方法及び装置を提供する。１つの例示的な実施形態では、本発明は、クラスＢの移動装置（mobile device）が、ＧＰＲＳネットワーク（パケット交換）に接続されたままである間に、ＧＳＭネットワーク（回路交換）からページを受け取ることができるようにする。回路交換及びパケット交換ネットワークの性質は、単一のインターフェイスに対して通常排他的であり、即ち、装置は、同じインターフェイスにおいて回路交換及びパケット交換プロトコルを同時に使用することはできない。しかしながら、本発明の態様では、クラスＢの移動装置は、好都合にも、同じ無線インターフェイスを使用してＧＳＭ回路交換ネットワークのページングチャンネルを監視しながら、ＧＰＲＳパケット交換ネットワークで動作することができる。
【００３６】
本発明の１つの具現化において、装置は、現在実行中のアプリケーションに対してプライオリティのリストを発生する。従って、装置が多数の比較的プライオリティの低いタスクを有するときに、装置は、二次ネットワークのページングアクセスに注意を転じることができる。従って、以下に詳細に述べるように、クラスＢの移動装置は、ＧＰＲＳアイドル周期中にＧＰＳページングチャンネルアクセスを受け取ることができる。
【００３７】
本発明の別の態様において、装置は、二次ネットワークにおいてページを受け取るために、１つ以上の現在アプリケーションにより使用されるリソースを「徴用(commandeer)」することができる。ほとんどのデータアプリケーションは、ある程度のデータロスを既に許容するか、或いは又、データアプリケーションは、装置にとって特に有用でないことがある。そのようなデータアプリケーションを意図的に無視することにより、装置は、その注意を別のネットワークの監視に転じることができる。従って、別の例では、クラスＢの移動装置は、他のエラー許容アプリケーション（ウェブブラウジング又はバックグランドタスクのような）に代わって、ＧＳＭページングチャンネルアクセスを受けることができる。
【００３８】
（例示的な実施形態の詳細な説明）
本発明の例示的実施形態を詳細に説明する。この実施形態は、主として、ＧＳＭ、ＧＰＲＳ／ＥＤＧＥ混合セルラーネットワークのページングメカニズムに関して説明するが、当業者であれば、本発明はこれに限定されないことが明らかであろう。実際に、本発明の種々の態様は、これに限定されないが、アドホックネットワーク及びピアツーピアワイヤレスネットワークを含むここに述べる多数のページングメカニズムの同時動作から利益が得られるワイヤレスネットワーク（セルラーであるかその他であるかに関わらず）に有用である。
【００３９】
図１は、本発明の種々の実施形態に有用な１つの例示的なセルラーネットワーク１００を示す。セルラー無線システムは、ベースステーション（ＢＴＳ）１０２のネットワークを備え、その各々は、移動装置１０４のための「セル」内に無線カバレージを与える。セルのネットワークは、１つ以上のネットワークエンティティにより管理される。２つのネットワークエンティティ、即ち第１のＧＳＭ移動交換センター（ＭＳＣ）１０６及びサービングＧＰＲＳサポートノード（ＳＧＳＮ）１０８が示されている。図示されたように、ＭＳＣ及びＳＧＳＮは、同じＢＴＳ又は専用のＢＴＳを使用して移動装置と通信する。
【００４０】
ＧＰＲＳ及びＧＳＭは、周波数分割デュープレックス（ＦＤＤ）及びＴＤＭＡ（時分割多重アクセス）の組み合わせに基づき同じ無線アクセス方法を使用する。ＦＤＤ動作は、一対のアップリンク（ＵＬ）及びダウンリンク（ＤＬ）周波数帯域を各ユーザに与える。ＧＳＭ／ＧＰＲＳ内では、ＵＬ／ＤＬ周波数帯域は、アップリンクシグナリングについて１つそしてダウンリンクシグナリングについて１つの、一対の物理的無線キャリアを指定するＡＲＦＣＮ（絶対高周波チャンネル番号）によって特定される。更に、ＵＬ／ＤＬ周波数帯域の各々は、ＴＤＭＡ動作のために時間的に分離される。ＴＤＭＡシステムは、無線チャンネルをタイムスロットに分割する。各ユーザにはタイムスロットが指定される。これは、複数のユーザが同じ高周波チャンネルを共用できるようにする。
【００４１】
（ページングメカニズム）
多数のワイヤレス無線通信システムにはページングメカニズムが使用される。ページングメカニズムは、ワイヤレス装置が、とりわけ、無線リソースを解放して、電力消費を最小にするか又はリソースを他のタスクに向けることができるようにする。ページングは、一般的に、２つのタイプのモード、即ち「接続」モード及び「非接続」又は「アイドル」モードにより特徴付けされる。アイドルモードでは、ワイヤレス装置は、ページングチャンネルを周期的に監視するが、その他は、インアクティブのままである。ワイヤレス装置は、ページングチャンネルメッセージを受信すると、「ウェイクアップ」して応答する。接続又はアクティブモードでは、ワイヤレス装置は、接続が終了されるか又は保留されるまで別の装置とアクティブに通信する。種々の技術で、接続及びアイドルモードを種々の他のサブ状態へ更に細分化することができる。
【００４２】
ＧＳＭ移動ネットワークでは、移動ターミナルがＣＣＣＨ（共通コントロールチャンネル）を経てページングされる。ＣＣＣＨは、物理的なブロードキャストコントロールチャンネル（ＢＣＣＨ）を経て論理的チャンネルとして搬送される。ＢＣＣＨは、ＧＳＭセルラーネットワークに使用されるポイント対マルチポイントの単一方向性（ダウンリンク）無線チャンネルである。ＢＣＣＨを含むＧＳＭ  ＡＲＦＣＮは、「ビーコン」チャンネルとして指定され、フルパワーで連続的に送信することが要求される。ＣＣＣＨチャンネルは、ベースステーションと移動ターミナルとの間の通信リンクを設定するのに使用される。ＣＣＣＨは、移動装置のためのページング要求及びチャンネル指定メッセージを搬送する。ＣＣＣＨは、更に、ページングチャンネル（ＰＣＨ）及びアクセス許可チャンネル（ＡＧＣＨ）に分割される。アイドル移動装置は、ネットワークからのＰＣＨサービス通知についてＣＣＣＨを監視する。
【００４３】
あるＧＰＲＳネットワークは、ＢＣＣＨ（ＣＣＣＨ）に加えて、ページングのための付加的な物理チャンネルをサポートする。パケット共通コントロールチャンネル（ＰＣＣＣＨ）は、ＧＰＲＳネットワーク特有の物理的チャンネルである。ＧＰＲＳセルは、ＰＣＣＣＨを与える必要がない。セルがＰＣＣＣＨチャンネルを有していない場合には、そのセルのベースステーションが、（ＢＣＣＨにおいて送信された）既存のＣＣＣＨチャンネルを経てＧＰＲＳチャンネルをページングする。
【００４４】
ネットワークオペレーションモード（ＮＭＯ）の前記説明を参照すると、ＣＣＣＨ及びＰＣＣＣＨの一貫したページングメッセージをサポートするネットワークは、ＮＭＯ−１として分離される。ＧＳＭ及びＧＰＲＳの両方に対するページングメカニズムが共存することで、移動装置は、動作状態に関わりなく、ＧＳＭ又はＧＰＲＳのためのページングメッセージを受信することができる。例えば、ＧＰＲＳパケットデータコール中に、移動装置は、ＣＣＣＨ又はＰＣＣＣＨのいずれかを経てＧＳＭボイスコールを受信することができる。ＧＳＭとＧＰＲＳとの間の一貫したページングは、偶発的に欠落するページがないことを保証する。
【００４５】
他方、ＮＭＯ−３ネットワークは、ＣＣＣＨを通してＧＳＭパージングを、又はＰＣＣＣＨを通してＧＰＲＳページングを、一度に１つだけ、受信することができる。ＣＣＣＨ及びＰＣＣＣＨは、一貫したものではない（即ち、ページングメッセージが共用されない）ので、あいまいさは存在しない。移動装置は、ＰＣＣＣＨからＧＰＲＳページを受信するか、又はＣＣＣＨからＧＳＭページを受信するだけである。
【００４６】
ＮＭＯ−１及びＮＭＯ−３とは対照的に、ＮＭＯ−２ネットワークは、クラスＢ装置のページを潜在的にドロップさせることがある。ＮＭＯ−２ネットワークは、ＧＳＭインフラストラクチャー（例えば、ＣＣＣＨ）を経てＧＰＲＳページを与える。装置は、ＧＳＭＣＣＣＨを経てＧＰＲＳページに応答した後に、専用のＧＰＲＳパケットデータトラフィックチャンネル（ＰＤＴＣＨ）へ移動して、データサービスを消費する。しかしながら、不都合なことに、クラスＢ装置は、所与の時間にＧＰＲＳ又はＧＳＭのいずれかのコールしかサポートできない。従って、クラスＢ装置がＧＰＲＳコールの際にＮＭＯ−２ネットワークに接続されると、ＧＳＭページングチャンネルは、もはや監視されない。従って、将来のページング通知（ＣＣＣＨにおける）は、従来の装置では完全に無視される。
【００４７】
従来、データ使用は、散発的で、比較的短時間に多量の帯域巾を使用するものである。しかしながら、近年では、帯域巾使用効率が良いために、パケットベースのデータ使用モデルが次第に普及してきている。低帯域巾、一定又はほぼ一定データレートのアプリケーション（例えば、プッシュｅ−メール、持続的ＩＰ接続、等）に対するパケットデータの使用が着実に増加している。従って、ＰＳデータの接続長さが増加し続けるにつれて、ＧＰＲＳデータ接続の時間巾も増加している。ＧＰＲＳデータ接続の時間巾が長いほど、１つ以上のＧＳＭページが欠落する確率も高くなる。
【００４８】
（動作例）
図２を参照すれば、１つの例示的なＧＰＲＳ  ＰＤＴＣＨ２０２及び１つの例示的なＧＳＭ  ＢＣＣＨ２０４が時間ドメインにおいて示されている。図示されたように、ＧＳＭコントロールマルチフレーム２０２は、５１のフレームを含み、そして合計で２３５．４ｍｓの時間巾を有する。コントロールマルチフレームは、更に、時間的にスケジュールされる論理的チャンネルへと細分化される。そのような１つの論理的チャンネルは、多数のページングチャンネルを含む多数の更に別のサブチャンネルより成る共通のコントロールチャンネルである。各ページングチャンネル（ＰＣＨ）は、長さがタイムスロット４個分である。ＧＳＭチャンネル構造に関する他の詳細は、参考としてここにそのまま援用する広く出版されているＧＳＭ規格３ＧＰＰ  ＴＳ  ０５．０３：“Channel coding”に説明されている。更に、全体にわたって使用される（フレーム長さ、時間巾、数、等の）実施特有量に関する詳細は、明瞭化及び例示のために与えられたもので、本発明を実施するのに必要なものではないことが明らかである。
【００４９】
又、１つのＧＰＲＳ  ＰＤＴＣＨフレーム構造も図２に示されている。上述したように、ＧＰＲＳフレーム構造は、既存のＧＳＭフレーム構造の上に構築され、無線チャンネルの特徴が２つの技術間に共有される（例えば、ＧＳＭ及びＧＰＲＳは、同じスロット及びフレームタイミング、並びに電力制約を共有する）。従って、ＰＤＴＣＨ動作の間に、ＧＰＲＳデータの４つのタイムスロットは、ＧＳＭ  ＰＣＨと同じ時間巾を有する。２つのチャンネル間の整列は、完全でないことがある。というのは、送信距離の変化、等のために、ある程度の時間シフトが存在するからである。時間シフトの修正は、ＧＳＭ／ＧＰＲＳ／ＥＤＧＥセルラーネットワークのアーティファクトであり、その解決策は、適用分野で良く知られている。
【００５０】
本発明の一実施形態において、移動装置は、ＧＰＲＳ  ＰＤＴＣＨとＧＳＭ  ＰＣＨ（これは、ＢＣＣＨのＣＣＣＨ内で送信される）との間の整列を決定し、次いで、１つ以上のアプリケーション事柄に基づいて、移動装置は、回路交換（ＣＳ）ページングデコード周期を識別する。ＣＳページングデコード周期の間に、移動装置は、その現在アプリケーションプライオリティを識別する。アプリケーションプライオリティが、プライオリティの高いものでない場合には、移動装置は、ＧＳＭ  ＢＣＣＨに同調し、ＰＣＨバーストをデコードする。ＧＳＭ  ＰＣＨデコード中に、あるデータが失われることがある。従って、プライオリティ決めステップは、移動装置がロッシーＧＰＲＳデータ受信とＧＳＭボイスコール受信との間でトレードオフできるようにする。
【００５１】
本発明の１つの態様において、移動装置及び現在ＧＰＲＳネットワークは、ＧＳＭページングチャンネルをデコードするための進行中のＧＰＲＳデータ転送を保留することはしない。本発明の第２の態様では、移動装置は、ＧＳＭページング受信を含めて異なるサービスをプライオリティ決めする。従って、例えば、ユーザは、異なるクオリティサービス（ＱｏＳ）要件を各々伴う異なるパケット交換サービスを有する。あるサービスは、遅延に不感である（又はウェブブラウジングのようなバックグランドクラス）。他のアプリケーションは、遅延感知である（例えば、ストリーミングビデオ又はオーディオ）。従って、本発明の１つのそのような実施例では、ウェブブラウジングは、回路交換ＧＳＭページングメッセージの収集より低いプライオリティが与えられ、一方、ストリーミングビデオ又はオーディオは、ＧＳＭページの収集より高いプライオリティが与えられる。
【００５２】
図３は、（ここでは、ＧＳＭ／ＧＰＲＳ／ＥＤＧＥネットワークで動作する）本発明の移動装置の実施特有のページングチャンネルメカニズムを更に示すプロセス図である。ステップ３０２において、移動装置は、ＧＳＭネットワークに対するページングブロックを計算する（各加入者のページングブロックが「国際移動加入者識別（ＩＭＳＩ）」から計算される）。図示されたように、ＢＳ＿ＰＡ＿ＭＦＲＭＳパラメータは、ＰＣＨサブチャンネルページングデコーディングの周期性を定義する。その値は、ＢＣＣＨを経てブロードキャストされ、そして２から９の範囲である。例えば、その値が９に等しい場合には、ＭＳは、ページングサイクルごとにそのページングサブチャンネルをデコードする。
【００５３】
ステップ３０４において、移動装置は、そのＧＰＲＳセッション管理（ＳＭ）状態マシンをチェックする。移動装置が進行中のセッションを有する場合には、移動装置は、本発明によりそのページング動作を調整するように進む。或いは又、装置がアクティブなＧＰＲＳセッションを有していない場合には、移動装置は、レガシーＮＭＯ−２ページングを実行する。他の実施形態では、後続ステップへの移行が、ＧＰＲＳコールの開始によりトリガーされる（即ち、ステップ３０４は、セッションのエントリー／退出によりトリガーされる）。
【００５４】
後続ステップの各々は、ＧＰＲＳ実施特有の詳細に基づく。これらの説明は、以下に述べる一般的な方法及び装置を明瞭化する上で役立つと考えられる（本書のどこかに現れる「方法」及び「例示的装置」の説明を参照）。以下に詳細に述べるように、一実施形態における本発明の移動装置は、ＧＳＭ  ＰＣＨをデコードするための過少利用又はアイドル周期を「徴用(commandeer)」する。従って、過少利用又はアイドル周期は、他のプロトコル又はシステムについて異なることが明らかである。
【００５５】
ＧＳＭ／ＧＰＲＳ／ＥＤＧＥネットワーク内には、２つの潜在的に過少利用の周期、即ち（ｉ）一時的ブロックフロー（ＴＢＦ）及び（ii）アイドル、がある。
【００５６】
一時的ブロックフロー（ＴＢＦ）は、典型的に、（例えば、インターネットプロトコル（ＩＰ）データグラム、等に対する）一方向性データを送信するのに使用される。不都合なことに、ＴＢＦ接続の開閉は、著しい時間を要する（数百ミリ秒程度）。従って、本発明の一実施形態では、移動装置は、欠落ＴＢＦの影響を最小にするためにその現在実行中のアプリケーションを知性的に管理する。典型的なＮＭＯ−２動作とは異なり、移動装置は、ＰＣＨデコーディングの前にＧＰＲＳネットワーク動作（例えば、ＴＢＦ保留、等）を保留せず、従って、ＴＢＦ周期中に送信されるＧＰＲＳデータが欠落する。ＧＰＲSデータパケットの潜在的なロスのため、移動装置は、ＣＳページングデコーディングを既知のアプリケーションに基づいてプライオリティ決めし、或いは移動装置は、回復可能なデータロス、等に依存するか又はそれを計画する。
【００５７】
アイドル周期は、一般的に、近傍のベースステーションのＢＳＩＣ（ベースステーションアイデンティティコード）をデコードしてハンドオーバーを容易にするために移動ステーションにより使用される。これは、比較的重要度の低いタスクであり、移動装置が近傍のベースステーションのレコードをいったんもつと、アイドル周期は、著しく過少利用となる。これらの周期は、ＰＣＨデコーディングに使用することができる。
【００５８】
図３に戻ると、ステップ３０６において、移動装置は、一時的ブロックフロー（ＴＢＦ）が、（ステップ３０２で計算された）その予想ＧＳＭ  ＰＣＨスケジュールに重畳するかどうか決定する。ＴＢＦが重畳する場合には、ＧＰＲＳネットワークの次のマルチフレームのタイムスロットが移動装置に割り当てられる。従って、その到来する短いＴＢＦインターバル中に、移動装置は、潜在的なデータロスを受け容れようとする場合には、ＧＳＭ  ＰＣＨを自由にチェックする（ステップ３０８を参照）。しかしながら、一時的ブロックフロー（ＴＢＦ）が、ＧＳＭ  ＰＣＨスケジュールに重畳しない場合には、移動装置は、アイドルタイムスロット中にＰＣＨをデコードしなければならない（各々ステップ３２０及びステップ３３０を参照）。
【００５９】
ステップ３０８において、移動装置は、プライオリティテーブル又は他のそのようなデータ構造を参照して、徴用された到来するＴＢＦインターバルの適当な使用を決定する。図４は、そのようなプライオリティテーブルの１つの実施例を示す。ＣＳページングデコードが、現在のＳＡＰＩ（サービスアクセスポイント識別子）より高いプライオリティを有する場合には、次のページングサイクル中に、ＰＣＨがデコードされる（３１０）。図４の例示的なテーブルにおいて、「プッシュ」タイプのｅ−メールサービスは、ＧＳＭ  ＰＣＨデコードより高くプライオリティ決めされ、一方、それよりプライオリティの低い他のタスク、例えば、ＨＴＴＰ及びＳＭＴＰは、それに従属される。しかしながら、順序又はプライオリティは、図示されたものから変化してもよく、実際には、ユーザ入力や、親ネットワークからのコマンドを経て（例えば、ベースステーション、等を経て）動的に変化してもよいことが明らかである。ここに示す実施形態では、移動装置は、ステップ３２０及び３３０において完全なＧＰＲＳ  ＴＢＦ保留を要求せずにＧＳＭ  ＰＣＨをデコードできるかどうか決定する。一時的ブロックフロー（ＴＢＦ）がＧＳＭ  ＰＣＨスケジュールに重畳しない場合には、ステップ３２０において、移動装置は、ＧＳＭ  ＰＣＨバーストがＧＰＲＳフレームのアイドルフレームに整列されるかどうか決定する。ＧＰＲＳフレーム構造の第２６番目のフレームは、（例えば、ハンドオーバー、等に対する）上述した隣接セル測定のために、常にアイドルである。移動装置が近傍セルの最新の情報を有するか、又はそのような情報を必要としない（例えば、ハンドオーバーに関心がない、等の）場合、及びアイドルフレーム及びＰＣＨバーストがこれらのタイムスロットにおいて重畳する場合には、移動装置は、ＧＳＭページングデコードを迅速に遂行する。
【００６０】
最後に、移動装置は、ＧＰＲＳフレーム内のアイドルフレーム中にＧＳＭ  ＰＣＨフレームがスケジュールされるかどうか決定する（ステップ３３０）。例えば、ＧＰＲＳアップリンク及びダウンリンクアクセスに対してタイムスロット１及び７に指定された移動装置について考えると、他の全てのタイムスロットにおいて、装置はアイドルである。従って、タイムスロット２ないし６は、これらタイムスロットにおいてＰＣＨバーストが重畳する場合にＧＳＭページングデコードのために使用される。
【００６１】
ステップ３４０において、ＧＳＭ  ＰＣＨチャンネルが移動装置のためのページを有する場合には、ステップ３５０においてＧＰＲＳデータリンクが保留され（ＴＢＦ保留）、そして回路交換ＧＳＭコールが確立される。
【００６２】
上述したように、以上の説明は、主として、ＧＳＭ／ＧＰＲＳ／ＥＤＧＥネットワーク技術及び特徴をベースとするものである。従って、本発明の１つ以上の態様を具現化するための一般的な方法及び装置について以下に述べる。
【００６３】
（方法）
図５を参照して、一次ネットワークインターフェイスの現在アプリケーションロードに少なくとも一部分基づいて二次ネットワークインターフェイスのためのページングチャンネル受信を行う一般的な方法５００の例示的実施形態を説明する。本発明の１つの態様において、二次ネットワークのページングチャンネルは、一次ネットワークにおける凪又は比較的重要度の低い期間中にのみデコードされ、従って、非常にプライオリティの高いアプリケーションは、二次ページングチャンネルデコードディングの先を越すものである。対照的に、プライオリティの低い一次ネットワークデータアクティビティは、二次ネットワークページングメッセージを収集するために簡単に外される。以下の方法は、第１又は一次ネットワークに接続される第１装置を参照する。その後、第１装置は、第２又は二次ネットワークのページングメッセージをデコードする。
【００６４】
更に、以下の説明は、主として、回路交換型の二次ネットワーク及びパケット交換型の一次ネットワークを参照して述べるが、本発明は、一次ドメインと二次ドメインとの間に整合が存在しない通信システムにも適用できる。例えば、ＬＴＥ−ＣＤＭＡのような将来の技術は、互換性のない多数のモードを一緒に混合することができる。更に、本発明を実施するのにワイヤレス動作は要求されず、本発明は、同じ物理的媒体を経て排他的ワイヤライン技術を結合するときにも特に使用できることが明らかであろう。
【００６５】
方法５００のステップ５０２において、第１装置は、一次ネットワークに接続される。一実施形態において、第１装置は、一次ネットワークとの１つ以上のアクティブなセッションをオープンする。又、第１装置は、近傍のネットワークの識別も行う。ある変形例では、一次ネットワークは、近傍のネットワークとある程度互換性がある。他の変形例では、一次及び近傍のネットワークは、全く関係がない。
【００６６】
一実施形態において、第１装置は、近傍のネットワークから１つ以上の二次ネットワークを識別し、第１装置は、例えば、ＧＳＭ／ＧＰＲＳ／ＥＤＧＥイネーブル型クライアントであり、一次ネットワークは、ＧＰＲＳネットワークであり、そして二次ネットワークは、ＧＳＭネットワークである。更に、そのような１つの変形例では、イネーブル型クライアントは、クラスＢのＧＳＭ／ＧＰＲＳ／ＥＤＧＥクライアントであり、そして一次ネットワークは、ＮＭＯ−２準拠の動作を経て、ＧＳＭ無線アクセスネットワークを使用してＧＰＲＳ  ＳＧＳＮにより管理される。
【００６７】
ステップ５０４において、第１装置は、一次ネットワークで実行されている現在アプリケーションプライオリティのリストを識別し維持する。一実施形態では、第１装置は、第２ネットワークにメッセージを得るために、第１ネットワークからのメッセージを選択的に欠落しようとする。例えば、パケット交換ＧＰＲＳに接続された移動装置では、回路交換ＧＳＭページを受信するために、プライオリティの低いメッセージを欠落するよう接続が選択的に行われる。又、本発明は、あるＧＰＲＳデータサービスが他のものより一時的なデータロスに対して弾力性があり、そしてこの知識を使用して、システムの動作を適宜に最適化できることも予期している。
【００６８】
一実施形態では、各セッション又はその分離可能なサブ区分は、相対的な重要性があり、そして関連サービスクオリティのパケット交換データサービスは、例えば、第１次元では無線リンク又は実行中のアプリケーションに対するそれらの重要性に基づいて分類されると共に、第２次元では欠落データに対するそれらの弾力性に基づいて分類される。そのような弾力性は、例えば、エラー修正、許容できる待ち時間、受け容れられるロス、等の程度で測定される。
【００６９】
本発明の１つの態様において、一次ネットワークで実行される各アプリケーションにはプライオリティが指定される。そのような１つの具現化において、周辺の二次ページングチャンネルアクセスのためのタスクには、一次ネットワークアプリケーションに対するプライオリティが指定される。第１装置によるプライオリティの指定は、第１装置が、二次ページングアクセスの受信を調整できるようにし、それにより、一次ネットワークに対するそのような周辺受信の影響を最小にする。同様に、プライオリティ決めは、二次ページングアクセスが第１ネットワークの比較的低い利用性に勝つことができるようにする。１つの変形例では、プライオリティの指定は、アプリケーションタイプ（例えば、ＨＴＴＰ、ＳＭＴＰ、ストリーミング、等）のスタティックなメトリックに基づいて行われる。他の変形例では、プライオリティの指定は、動的な調整に基づいて行われる。
【００７０】
ステップ５０６において、第１装置は、周辺の二次ネットワークページングアクセスをスケジューリングする。一実施形態では、第１装置は、第１ネットワークと第２ネットワークとの間の既存の関係に基づいてスケジュールを導出する。例えば、ＧＳＭ／ＧＰＲＳネットワークでは、ＧＳＭネットワークは、ＧＰＲＳネットワークに対して同一のタイミングを有し、移動装置は、タイミングシフトを補償して、適切なページングチャンネルを導出するだけでよい。しかしながら、他のネットワークでは、既存の関係はない。そのような非整合ネットワークを分析することで、周辺アクセスにおいて欠落となるパケット、フレーム、データ、等の数の推定値を生じることができる。この推定値に基づいて、第１装置は、周辺ネットワークアクセスを適当にスケジュールすることができる。
【００７１】
更に、他の実施形態では、スケジュールは、他の事柄によって影響を受ける。例えば、第１装置は、二次ネットワークのページングアクセスデコーディングの試みを食い違わせようとする。そのような食い違いは、他の装置の事柄、例えば、電力消費、処理負担、アプリケーション要件、ユーザの「経験」（例えば、認知できる待ち時間を含む）、等に基づく。
【００７２】
ステップ５８０において、スケジュールされた周辺二次ネットワークアクセスがトリガーされると、第１装置は、適当にプライオリティ決めされたアクションを決定する。二次ネットワークアクセスが他の現在アクションより高いプライオリティを有する場合には、第１装置は、ステップ５１０へ進む。さもなければ、他の一次ネットワークアクティビティがより重要である場合には、第１装置は、適当なアクション５０８Ａを実行し、そして次にスケジュールされた周辺事象を待機する。
【００７３】
一実施形態では、第１装置は、ステップ５０４で発生されたプライオリティ決めスケジュールを調べて、適当なアクションを決定する。プライオリティは、異なる解決策に基づいて、例えば、各スケジュールされた繰り返しの後に更新されてもよい。例えば、あるケースでは、低プライオリティタスクのプライオリティを高くして、少なくとも何回か行うようにする必要がある。他の変形例では、プライオリティは、スタティックであり、変化しない。
【００７４】
更に別の変形例では、例えば、（低ビットレートストリーミングデータのような）アイソクロナスアプリケーションに幾つかの他の事柄が存在し、所与の時間フレームにおいてデータを送信しなければならない。しかしながら、時間フレームにおいていつデータを送信するかについての要求がない（即ち、インターバル内に入る限り、インターバル内で早く送られても遅く送られても等しく良好である）。
【００７５】
ステップ５１０において、第１装置が二次ネットワークにおいてページングメッセージを検出する場合に、第１装置は、一次ネットワークの動作を保留し、そして二次ネットワークのページにサービスする。他の具現化では、第１装置は、ページに選択的に応答する。更に別の解決策では、第１装置は、一次ネットワークの動作を保留せずにページに応答することができる（即ち、より多くのデータが途中で脱落するのを許す）。例示的な実施形態では、ＧＳＭページが保留中であることを決定するクラスＢ装置は、ＴＢＦ保留メッセージをＧＰＲＳ  ＳＧＳＮへ送信し、それにより、更に別のＧＰＲＳサービスを停止させる。
【００７６】
（例示的な移動装置）
図６を参照し、本発明の方法を具現化するのに有用な例示的な装置６００について説明する。
【００７７】
この装置６００は、１つ以上の基板６０４にマウントされたデジタル信号プロセッサ、マイクロプロセッサ、フィールドプログラマブルゲートアレイ、又は複数の処理コンポーネントのようなプロセッササブシステム６０２を備えている。又、この処理サブシステムは、内部キャッシュメモリも備えている。処理サブシステム６０２は、例えば、ＳＲＡＭ、フラッシュ及びＳＤＲＡＭコンポーネントを含むメモリより成るメモリサブシステム６０６に接続される。このメモリサブシステムは、良く知られたように、データアクセスを容易にするために１つ以上のＤＭＡタイプハードウェアで実施される。
【００７８】
無線／モデムサブシステム６０８は、一般的に、デジタル基本帯域、アナログ基本帯域、ＴＸフロントエンド及びＲＸフロントエンドを備えている。装置６００は、更に、アンテナアッセンブリ６１０も備え、選択コンポーネントは、特定の周波数レンジ又は指定のタイムスロットに対する種々のアンテナ動作モードを可能にするための複数のスイッチを含む。本開示が与えられると、当業者に明らかなように、ある実施形態では、あるコンポーネントを除去してもよいし、さもなければ、互いに合体してもよい（３ＧデジタルＲＦに使用されるタイプの、結合されたＲＦ  ＲＸ、ＲＦ  ＴＸ及びＡＢＢのような）。
【００７９】
ここに例示する電源管理サブシステム（ＰＭＳ）６１２は、装置に電力を供給し、そして集積回路及び／又は複数の個別の電気的コンポーネントを含む。装置の１つの例示的なポータブル移動装置では、電源管理サブシステム６１２は、バッテリとインターフェイスする。
【００８０】
この装置のある実施形態では、ユーザインターフェイスシステム６１４が設けられる。ユーザインターフェイスは、キーパッド、タッチスクリーン又は「マルチタッチ」スクリーン、ＬＣＤディスプレイ、バックライト、スピーカ、及びマイクロホンを含む多数の良く知られたＩ／Ｏを含むが、これに限定されない。しかしながら、ある用途では、これらコンポーネントの１つ以上が省かれてもよいことが認識される。例えば、ＰＣＭＣＩＡカードタイプの移動装置実施形態は、ユーザインターフェイスがなくてもよい（それらが、物理的及び／又は電気的に結合された装置のユーザインターフェイスに便乗できるからである）。
【００８１】
図６の装置は、更に、任意の付加的な周辺装置も備え、これは、１つ以上のＧＰＳトランシーバ、又はネットワークインターフェイス、例えば、ＩｒＤＡポート、Ｂｌｕｅｔｏｏｔｈ（登録商標）トランシーバ、Ｗｉ−Ｆｉ（ＩＥＥＥ規格８０２．１１）トランシーバ、ＷｉＭＡＸ（ＩＥＥＥ規格８０２．１６ｅ）トランシーバ、ＵＳＢ（例えば、ＵＳＢ２．０、ＵＳＢ３．０、ワイヤレスＵＳＢ、等）、Ｆｉｒｅｗｉｒｅ、等を含むが、これに限定されない。しかしながら、これらのコンポーネントは、本発明の原理による装置６００の動作には必ずしも要求されないことが認識される。
【００８２】
（ビジネス方法及びルール）
以上の装置及び方法は、実現可能で、且つ種々のビジネスモデルに容易に適応されることが認識される。
【００８３】
１つのそのようなビジネスパラダイムにおいて、適当にイネーブルされたユーザ装置は、セルラーページを頑健に受信し（サービス通知をより速く受信し）、多数のネットワークの既存のページングチャンネルを効率的に監視し、それにより、知覚される全体的な経験のクオリティを高める。レガシー装置は、一度に１つのネットワークからページを効率的に受信できるだけであるが、本発明による装置は、複数のネットワークの動作に素早くまたがることができる。前記解決策は、非常に効率的であり、又、移動装置による電力消費を著しく改善し、それにより、バッテリ寿命を延長し、ひいては、ユーザ経験を伸ばすことができる。そのため、そのような装置は、ネットワークオペレータ又は製造者により「アップグレード」又は「プレミアム」装置として提供され、そしてより高い価格及び／又は契約料金で売ることができる。或いは又、それらを、ネットワークオペレータにより既存の加入者に、それらの契約に関連した期間及び／又はサービスの延長と引き換えに、報奨として与えてもよい。
【００８４】
本開示が与えられれば、ページングチャンネル回復を具現化する他の多数のスキーム、及びそれを利用するビジネス方法が当業者によって認識されよう。
【００８５】
本発明の幾つかの態様を方法ステップの特定シーケンスに関して説明したが、これらの説明は、本発明の広い方法を単に例示するものに過ぎず、特定の用途で要求されるように変更できることが認識される。あるステップは、ある環境のもとでは不要とされ又は任意とされる。更に、ここに開示された実施形態に幾つかのステップ又は機能を追加することもできるし、或いは２つ以上のステップの実行順序を入れ替えることもできる。このような変更は、全て、特許請求の範囲内に包含されると考えられる。
【００８６】
本発明の新規な特徴を種々の実施形態に適用して、以上に詳細に説明したが、当業者であれば、本発明から逸脱せずに、ここに示す装置又はプロセスの形態及び細部に種々の省略、置き換え及び変更がなされ得ることが理解されよう。又、以上の説明は、本発明を実施するのに現在意図された最良の態様である。この説明は、これに限定されるものではなく、本発明の一般的な原理を例示するに過ぎない。本発明の範囲は、特許請求の範囲に基づいて決定されるべきである。
【符号の説明】
【００８７】
１００：セルラーネットワーク
１０２：ベースステーション（ＢＴＳ）
１０４：移動装置（mobile device）
１０６：移動交換センター（ＭＳＣ）
１０８：サービングＧＰＲＳサポートノード（ＳＧＳＮ）
６００：装置
６０２：プロセッササブシステム
６０４：基板
６０６：メモリサブシステム
６０８：無線／モデムサブシステム
６１０：アンテナアッセンブリ
６１２：電源管理サブシステム
【図１】
2013509100.tif 000003
【図２】
2013509100.tif 000004
【図３】
2013509100.tif 000005
【図４】
2013509100.tif 000006
【図５】
2013509100.tif 000007
【図６】
2013509100.tif 000008
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
移動装置の１つ以上のアプリケーションに対してページング受信を優先的にサポートする方法であって、移動装置は、一次インターフェイスに結合され、そして一次インターフェイスは、少なくとも１つのエラー許容アプリケーションをサポートする方法において、
前記一次インターフェイスを保留することなくページングメッセージについて二次インターフェイスをチェックする段階と、
それにより生じるエラーを少なくとも１つのエラー許容アプリケーションにおいて無視する段階と、
を備えた方法。
【請求項２】
少なくとも１つのページングメッセージが見つかった場合には、前記一次インターフェイスを保留する段階を更に備えた、請求項１に記載の方法。
【請求項３】
ページングメッセージが見つからない場合には、前記一次インターフェイスを継続する段階を更に備えた、請求項２に記載の方法。
【請求項４】
前記少なくとも１つのエラー許容アプリケーションは、プライオリティ、及びサービスクオリティ（ＱｏＳ）パラメータを更に含む、請求項１に記載の方法。
【請求項５】
前記プライオリティは、前記ＱｏＳパラメータに少なくとも一部分基づく、請求項４に記載の方法。
【請求項６】
前記一次及び二次インターフェイスは、実質的に時間整列される、請求項１に記載の方法。
【請求項７】
前記二次インターフェイスをチェックする動作についてスケジュールを決定する段階を更に備え、そのスケジュールは、共有時間事象に少なくとも一部分基づく、請求項６に記載の方法。
【請求項８】
前記共有時間事象は、（ｉ）フレーム境界、及び／又は（ii）スロット境界、の少なくとも１つを含む、請求項７に記載の方法。
【請求項９】
複数のインストラクションが配置された記憶媒体を備え、それらのインストラクションは、ホスト装置のプロセッサにより実行されたときに、
通信媒体へホスト装置の一次インターフェイスを結合させ、その一次インターフェイスは、少なくとも１つのエラー許容アプリケーションをサポートするものであり、
前記一次インターフェイスを保留することなくページングメッセージについて二次インターフェイスをチェックし、そして
それにより生じるエラーを前記少なくとも１つのエラー許容アプリケーションにおいて無視する、
ことにより、１つ以上のアプリケーションに対して優先的なページング受信を実施するように構成されたものである、コンピュータ読み取り可能な装置。
【請求項１０】
前記ホスト装置は、ワイヤレス移動装置を含み、そして前記一次インターフェイスは、ワイヤレスインターフェイスを含む請求項９に記載のコンピュータ読み取り可能な装置。
【請求項１１】
前記第１インターフェイス及び二次インターフェイスの一方は、回路交換ネットワークと通信し、そして前記第１インターフェイス及び二次インターフェイスの他方は、パケット交換ネットワークと通信する、請求項１０に記載のコンピュータ読み取り可能な装置。
【請求項１２】
一次ワイヤレスインターフェイスと、
二次ワイヤレスインターフェイスと、
移動装置の前記一次ワイヤレスインターフェイスを通信媒体に結合する手段であって、前記一次ワイヤレスインターフェイスは、少なくとも１つのエラー許容アプリケーションをサポートするものである手段と、
前記一次ワイヤレスインターフェイスを保留することなくページングメッセージについて前記二次ワイヤレスインターフェイスをチェックする手段と、
それにより生じるエラーを前記少なくとも１つのエラー許容アプリケーションにおいて無視する手段と、
を備えた移動装置。
【請求項１３】
前記一次ワイヤレスインターフェイス及び二次ワイヤレスインターフェイスは、実質的に時間整列される、請求項１２に記載の移動装置。
【請求項１４】
前記二次ワイヤレスインターフェイスをチェックするためのスケジュールを決定する手段を更に備え、前記スケジュールは、共有時間事象に少なくとも一部分基づく、請求項１０に記載の移動装置。
【請求項１５】
前記少なくとも１つのエラー許容アプリケーションは、プライオリティ、及びサービスクオリティ（ＱｏＳ）パラメータを更に含む、請求項１２に記載の移動装置。
【請求項１６】
一次ネットワークに接続されている間に二次ネットワークを経てメッセージを受信する方法において、一次及び二次ネットワークは、通常排他的であり、
１つ以上の評価事象をスケジュールする段階と、
前記一次ネットワークと通信する１つ以上のアプリケーションをプライオリティ決めする段階と、
評価事象ごとに、前記二次ネットワークをメッセージについてチェックすべきかどうか決定する段階と、
メッセージについてチェックすべき評価事象について、
１つ以上のアプリケーションに関連した一次インターフェイスを経て受信された１つ以上のアプリケーションデータエレメントを無視し、そして
二次インターフェイス上でメッセージを検出する、
という段階と、
を備えた方法。
【請求項１７】
前記一次ネットワークは、パケット交換型であり、そして前記二次ネットワークは、回路交換型である、請求項２１に記載の方法。
【請求項１８】
前記二次インターフェイスに結合することを更に含む、請求項１６に記載の方法。
【請求項１９】
メッセージについて二次ネットワークをチェックすべきかどうか決定する前記動作は、二次ネットワークのページングにプライオリティを指定することを含む、請求項１６に記載の方法。
【請求項２０】
１つ以上のアプリケーションデータエレメントを無視する前記動作は、前記一次インターフェイスを保留しない、請求項１６に記載の方法。
【国際調査報告】
2013509100.tif 000009
2013509100.tif 000010
2013509100.tif 000011
2013509100.tif 000012